(57)【要約】【課題】記録層の切り換え時に発生する「画像飛び」及び「音声飛び」によりユーザに不快感が生じるのを抑制することができるデータ記録装置、データ記録方法及びコンピュータプログラムを提供する。【解決手段】データ記録再生装置は、データを区切るための区切り位置の設定の指示を受け付けたか否かを判定する手段（Ｓ２）と、前記区切り位置までのデータを、記録媒体が有する第１記録層に記録し、前記区切り位置で第２記録層に切り換えて、残りのデータを記録することができるか否かを判定する手段（Ｓ３）と、該手段（Ｓ３）により記録することができると判定した場合に、第１記録層に前記データを記録する手段（Ｓ６）と、前記区切り位置で、記録層を第１記録層から第２記録層に切り換えてデータを記録する手段（Ｓ８）とを備えている。【選択図】図２
2010244601.tif 000002
【特許請求の範囲】
【請求項１】
取得したデータを記録媒体が有する一又は複数の記録層に記録するデータ記録装置において、
前記データを区切るための区切り位置の設定の指示を受け付ける指示受付手段と、
前記区切り位置までのデータを、前記記録媒体が有する一の記録層に記録することができるか否かを判定する手段と、
該手段により記録することができると判定した場合に、前記一の記録層に前記データを記録する手段と、
前記区切り位置で、記録層を前記一の記録層から他の記録層に切り換えてデータを記録する手段と
を備えることを特徴とするデータ記録装置。
【請求項２】
データの量、前記一の記録層の空き容量、及び前記他の記録層の空き容量に基づいて、前記区切り位置の設定可能範囲を決定する手段を備え、
前記指示受付手段は、前記設定可能範囲内で前記指示を受け付けるように構成されていることを特徴とする請求項１に記載のデータ記録装置。
【請求項３】
前記区切り位置は、前記データの記録開始からの経過時間に対応して設定するように構成されていることを特徴とする請求項１又は２に記載のデータ記録装置。
【請求項４】
前記データは映像に係るデータであり、前記区切り位置は前記映像のフレームを選択して設定されるように構成されていることを特徴とする請求項１又は２に記載のデータ記録装置。
【請求項５】
前記区切り位置にチャプターマークを付加する手段を備えることを特徴とする請求項４に記載のデータ記録装置。
【請求項６】
前記データは、複数のタイトルを付されて分割されており、
タイトル毎に、各タイトルに係るデータを記録する記録層を受け付ける手段と、
各タイトルに係るデータにつき、前記手段が受け付けた記録層に記録可能であるか否かを判定する記録可能判定手段と、
該記録可能判定手段により記録可能であると判定したタイトルに係るデータを記録層に記録する手段と
を備え、
前記指示受付手段は、前記記録可能判定手段により記録不可能であると判定したタイトルに係るデータを区切るための区切りの設定の指示を受け付けるように構成されていることを特徴とする請求項１から５までのいずれか一つに記載のデータ記録装置。
【請求項７】
取得したデータを記録媒体が有する複数の記録層に記録するデータ記録方法において、
前記データを区切るための区切り位置の設定の指示を受け付ける指示受付ステップと、  前記区切り位置までのデータを、前記記録媒体が有する一の記録層に記録することができるか否かを判定するステップと、
該ステップにより記録することができると判定した場合に、前記一の記録層に前記データを記録するステップと、
前記区切り位置で、記録層を前記一の記録層から他の記録層に切り換えてデータを記録するステップと
を有することを特徴とするデータ記録方法。
【請求項８】
データの量、前記一の記録層の空き容量、及び前記他の記録層の空き容量に基づいて、前記区切り位置の設定可能範囲を決定するステップを有し、
前記指示受付ステップは、前記設定可能範囲内で前記指示を受け付けることを特徴とする請求項７に記載のデータ記録方法。
【請求項９】
コンピュータに、取得したデータを記録媒体が有する複数の記録層に記録させるステップを有するコンピュータプログラムにおいて、
コンピュータに、前記データを区切るための区切り位置の設定の指示を受け付けさせる指示受付ステップと、
コンピュータに、前記区切り位置までのデータを、前記記録媒体が有する一の記録層に記録することができるか否かを判定させるステップと、
コンピュータに、前記ステップにより記録することができると判定した場合に、前記一の記録層に前記データを記録させるステップと、
コンピュータに、前記区切り位置で、記録層を前記一の記録層から他の記録層に切り換えてデータを記録させるステップと
を有することを特徴とするコンピュータプログラム。
【請求項１０】
コンピュータに、データの量、前記一の記録層の空き容量、及び前記他の記録層の空き容量に基づいて、前記区切り位置の設定可能範囲を決定させるステップを有し、
前記指示受付ステップは、前記設定可能範囲内で前記指示を受け付けさせることを特徴とする請求項９に記載のコンピュータプログラム。
【発明の詳細な説明】
【技術分野】
【０００１】
本発明は、映像及び音声のデータを取得し、取得したデータを記録媒体が有する複数の記録層に記録するデータ記録装置、データ記録方法及びコンピュータプログラムに関する。
【背景技術】
【０００２】
ＤＶＤ（Digital Versatile Disc）レコーダ等のデータ記録再生装置は、アンテナで受信した放送信号から番組映像及び音声のデータを取得するためのチューナ、及び取得した映像及び音声のデータを複数の記録層を有する例えばＤＶＤ、ＢＤ（Blu-ray Disc）等の記録媒体に書き込む光ピックアップを備え、前記データを該記録媒体に記録する機能を有している。また、データ記録再生装置は、記録媒体から映像及び音声のデータを読み出して再生する機能も有している。
【０００３】
ところが、複数の記録層にわたって記録されたデータを再生する場合、すなわち一の記録層の終了アドレスを有するセクタに記録されたデータに次いで、他の記録層の開始アドレスを有するセクタに記録されたデータを読み出して再生する場合、光ピックアップの移動に時間を要するため、データの読み出しが遅れ、映像が一時停止する虞があった。
【０００４】
この記録層の切り換え時に発生する「画像飛び」及び「音声飛び」によりユーザに不快感が生じるのを抑制するために、特許文献１には、放送信号から取得したデータが広告に関するデータであるか否かを判定し、広告に関するデータであると判定し、且つデータを記録している一の記録層に所定時間以上のデータを記録する空き容量がないと判定した場合、他の記録層にデータを記録することにより、再生時の映像停止箇所が広告に関する映像部分に一致し、映像停止が目立たなくなるようにデータを記録するデータ記録装置の発明が開示されている。
【先行技術文献】
【特許文献】
【０００５】
【特許文献１】特開２００７−２５０１３１号公報
【発明の概要】
【発明が解決しようとする課題】
【０００６】
しかし、特許文献１に係る発明の場合、放送波に広告が含まれていない場合、上述の記録層の切り換え部分による不快感を低減するという効果が得られないという問題があった。
本発明は、斯かる事情に鑑みてなされたものであり、記録層の切り換え時に発生する「画像飛び」及び「音声飛び」によりユーザに不快感が生じるのを抑制することができるデータ記録装置、データ記録方法及びコンピュータプログラムを提供することを目的とする。
【課題を解決するための手段】
【０００７】
本発明に係るデータ記録装置は、取得したデータを記録媒体が有する一又は複数の記録層に記録するデータ記録装置において、前記データを区切るための区切り位置の設定の指示を受け付ける指示受付手段と、前記区切り位置までのデータを、前記記録媒体が有する一の記録層に記録することができるか否かを判定する手段と、該手段により記録することができると判定した場合に、前記一の記録層に前記データを記録する手段と、前記区切り位置で、記録層を前記一の記録層から他の記録層に切り換えてデータを記録する手段とを備えることを特徴とする。ここで、データ記録装置とは、記録されたデータを再生する機能を有するものも含む。
【０００８】
本発明に係るデータ記録装置は、データの量、前記一の記録層の空き容量、及び前記他の記録層の空き容量に基づいて、前記区切り位置の設定可能範囲を決定する手段を備え、前記指示受付手段は、前記設定可能範囲内で前記指示を受け付けるように構成されていることを特徴とする。
【０００９】
本発明に係るデータ記録装置は、前記区切り位置は、前記データの記録開始からの経過時間に対応して設定するように構成されていることを特徴とする。
【００１０】
本発明に係るデータ記録装置は、前記データは映像に係るデータであり、前記区切り位置は前記映像のフレームを選択して設定されるように構成されていることを特徴とする。
【００１１】
本発明に係るデータ記録装置は、前記区切り位置にチャプターマークを付加する手段を備えることを特徴とする。
【００１２】
本発明に係るデータ記録装置は、前記データは、複数のタイトルを付されて分割されており、タイトル毎に、各タイトルに係るデータを記録する記録層を受け付ける手段と、各タイトルに係るデータにつき、前記手段が受け付けた記録層に記録可能であるか否かを判定する記録可能判定手段と、該記録可能判定手段により記録可能であると判定したタイトルに係るデータを記録層に記録する手段とを備え、前記指示受付手段は、前記記録可能判定手段により記録不可能であると判定したタイトルに係るデータを区切るための区切りの設定の指示を受け付けるように構成されていることを特徴とする。
【００１３】
本発明に係るデータ記録方法は、取得したデータを記録媒体が有する複数の記録層に記録するデータ記録方法において、前記データを区切るための区切り位置の設定の指示を受け付ける指示受付ステップと、前記区切り位置までのデータを、前記記録媒体が有する一の記録層に記録することができるか否かを判定するステップと、該ステップにより記録することができると判定した場合に、前記一の記録層に前記データを記録するステップと、前記区切り位置で、記録層を前記一の記録層から他の記録層に切り換えてデータを記録するステップとを有することを特徴とする。
【００１４】
本発明に係るデータ記録方法は、データの量、前記一の記録層の空き容量、及び前記他の記録層の空き容量に基づいて、前記区切り位置の設定可能範囲を決定するステップを有し、前記指示受付ステップは、前記設定可能範囲内で前記指示を受け付けることを特徴とする。
【００１５】
本発明に係るコンピュータプログラムは、コンピュータに、取得したデータを記録媒体が有する複数の記録層に記録させるステップを有するコンピュータプログラムにおいて、コンピュータに、前記データを区切るための区切り位置の設定の指示を受け付けさせる指示受付ステップと、コンピュータに、前記区切り位置までのデータを、前記記録媒体が有する一の記録層に記録することができるか否かを判定させるステップと、コンピュータに、前記ステップにより記録することができると判定した場合に、前記一の記録層に前記データを記録させるステップと、コンピュータに、前記区切り位置で、記録層を前記一の記録層から他の記録層に切り換えてデータを記録させるステップとを有することを特徴とする。
【００１６】
本発明に係るコンピュータプログラムは、コンピュータに、データの量、前記一の記録層の空き容量、及び前記他の記録層の空き容量に基づいて、前記区切り位置の設定可能範囲を決定させるステップを有し、前記指示受付ステップは、前記設定可能範囲内で前記指示を受け付けさせることを特徴とする。
【００１７】
本発明においては、ユーザにより設定を指示され、データを区切って複数の記録層に記録することが可能であると判定された区切り位置で、記録層を切り換えてデータを記録するように構成されているので、ユーザはどの画面で「画像飛び」及び「音声飛び」が生じるのかが分かっており、切り換え時の不快感が低減する。
以上のように記録された記録媒体を他人が視聴する場合も、「画像飛び」及び「音声飛び」がほとんど気にならない程度になる。
そして、区切り位置の設定可能範囲内でユーザが区切り位置の設定指示をするように構成されている場合は、短時間に、容易に適切な区切り位置を設定することができる。
【発明の効果】
【００１８】
本発明によれば、ユーザがどの画面で「画像飛び」及び「音声飛び」が生じるのかが分かっており、切り換え時の不快感が低減する。そして、区切り位置を設定して記録された記録媒体を他人が視聴する場合も、「画像飛び」及び「音声飛び」がほとんど気にならない程度になる。
【図面の簡単な説明】
【００１９】
【図１】本発明の実施の形態１に係るデータ記録再生装置の構成を示すブロック図である。
【図２】本発明の実施の形態１に係る制御部によるデータ分割記録処理の手順を示すフローチャートである。
【図３】本発明の実施の形態１に係る表示部上の記録予約の受付の表示の一例を示す図である。
【図４】本発明の実施の形態１に係る表示部上の区切り位置の表示の一例を示す図である。
【図５】本発明の実施の形態２に係る制御部によるデータ分割記録処理の手順を示すフローチャートである。
【図６】本発明の実施の形態２に係る表示部上の区切り位置の設定可能範囲の表示の一例を示す図である。
【図７】本発明の実施の形態３に係る制御部によるデータ分割記録処理の手順を示すフローチャートである。
【図８】本発明の実施の形態３に係る表示部上のダビングの設定の表示の一例を示す図である。
【図９】本発明の実施の形態３に係る表示部上の区切り位置の表示の一例を示す図である。
【図１０】本発明の実施の形態４に係る制御部によるデータ分割記録処理の手順を示すフローチャートである。
【図１１】本発明の実施の形態４に係る表示部上の区切り位置の設定可能範囲の表示の一例を示す図である。
【図１２】本発明の実施の形態５に係る制御部によるデータ分割記録処理の手順を示すフローチャートである。
【図１３】本発明の実施の形態５に係るタイトルと該タイトルに係るデータを記録する記録層とを指定した状態を示す図である。
【図１４】本発明の実施の形態５に係る表示部で記録不可能なデータを表示した状態を示す図である。
【図１５】本発明の実施の形態５に係る表示部上の区切り位置の表示の一例を示す図である。
【図１６】本発明の実施の形態６に係る制御部によるデータ分割記録処理の手順を示すフローチャートである。
【図１７】本発明の実施の形態６に係る表示部上の区切り位置の設定可能範囲の表示の一例を示す図である。
【発明を実施するための形態】
【００２０】
以下、本発明をその実施の形態を示す図面に基づいて詳述する。
実施の形態１．
図１は、本発明の実施の形態１に係るデータ記録再生装置（データ記録装置）１の構成を示すブロック図である。
図中、２はアンテナで受信した放送信号を増幅し、制御部３から与えられた制御信号に応じて特定チャンネルの信号を選択するチューナであり、チューナ２は、選択した信号を映像／音声信号処理部４へ与える。映像／音声信号処理部４には、外部出力部５、外部入力部６、及び伝送制御処理部７がデータ伝送線により接続されている。
【００２１】
伝送制御処理部７には、ＢＤドライブ部８、ＤＶＤドライブ部９、及びハードディスク装置１０がデータ伝送線により接続されている。データ記録再生装置１は、上述したような接続構成により、チューナ２で受信した放送番組のコンテンツデータを映像／音声信号処理部４、伝送制御処理部７、並びにＢＤドライブ部８、ＤＶＤドライブ部９、及びハードディスク装置１０へ伝送できるように構成されている。また、データ記録再生装置１においては、ＢＤドライブ部８、ＤＶＤドライブ部９、及びハードディスク装置１０のそれぞれの間で伝送制御処理部７を通じてデータを伝送できるように構成されている。
【００２２】
制御部３は、上述した各部の作動に対する制御、録画（記録）処理に係る制御、録画予約に係る制御及び装置全体に対する制御並びに各部の処理状態の把握等を行う。制御部３には、遠隔操作装置１３から送信された赤外光の信号を受信する受信部１１、表示部１２、ＲＯＭ１４、ＲＡＭ１５等が接続されている。制御部３は、ＲＯＭ１４に記録されているプログラムに基づき所要の制御処理を行う。ＲＯＭ１４には、本発明に係るデータ分割記録処理のプログラム（コンピュータプログラム）も記録されている。
制御部３は、該データ分割記録処理のプログラムに従って、データを区切るための区切り位置の設定の指示を受け付ける手段、前記区切り位置までのデータを記録媒体が有する一の記録層に記録することができるか否かを判定する手段、該手段により記録することができると判定した場合に、前記一の記録層に前記データを記録する手段、及び前記区切り位置で記録層を前記一の記録層から他の記録層に切り換えてデータを記録する手段等としての機能を実行する。
【００２３】
遠隔操作装置１３は、電源ボタン、再生ボタン、記録ボタン、複製ボタン等を有する操作部を備えており、操作部の操作に応じた赤外光の信号を送信する。
受信部１１は、遠隔操作装置１３から送信された赤外光の信号を受信するフォトダイオードを備えており、操作部の操作状態を検出する。
表示部１２は、液晶ディスプレイを備えており、データ記録再生装置１の動作状態、時刻等を表示する。
【００２４】
外部出力部５は、外部へ画像・音声データ等を外部へ出力するものであり、通常、データ記録再生装置１が受信した放送内容及び再生する内容等に係る映像及び音声を出力できる装置としてのテレビジョン受像機等の各種の表示装置が接続される。本実施の形態の外部出力部５は、複数の出力端子を具備し、具体的には映像出力端子、Ｓ映像端子、Ｄ映像端子、音声出力端子、光デジタル端子、ＨＤＭＩ（High-Definition Multimedia Interface：登録商標）端子、及びアンテナ出力端子等を備えている。また、外部入力部６は、外部の録画再生装置、セットトップボックス（STB）等から出力された各種データを受け付けるものであり、本実施の形態では映像入力端子、Ｓ映像入力端子、及び音声入力端子をそれぞれ２系統ずつ設けている。
【００２５】
映像／音声信号処理部４は、受け付けたデータに対して所要の処理を行うと共に、処理を行ったデータを制御部３が指定する先へ伝送するものである。映像／音声信号処理部４が行う処理としては、データのデコード処理、ダウンコンバート処理、アップコンバート処理等のデータ変換処理等がある。
【００２６】
伝送制御処理部７は、受け付けたデータを制御部３の制御に従い、所要の伝送先へ伝送する処理を行うものである。具体的なデータの伝送形態としては、放送番組の録画を行う場合、チューナ２が受信したデータを映像／音声信号処理部４を通じて伝送制御処理部７が取得し、取得したデータを録画先となるＢＤドライブ部８、ＤＶＤドライブ部９又はハードディスク装置１０のいずれかへ伝送する。
【００２７】
また、ＢＤドライブ部８及びＤＶＤドライブ部９の間でディスク間ダビング処理を行う場合は、伝送制御処理部７を通じてダビング元のディスクからダビング先のディスクへデータを伝送する。さらに、ＢＤドライブ部８及びハードディスク装置１０の間でディスク間ダビング処理を行う場合、伝送制御処理部７を通じてデータを伝送し、ＤＶＤドライブ部９及びハードディスク装置１０の間でディスク間ダビング処理を行う場合、伝送制御処理部７を通じてデータを伝送する。
【００２８】
ＢＤドライブ部８は、ＢＤに対してデータの書き込み処理及び読み出し処理を行う。ＢＤドライブ部８は、ＢＤをデータ記録再生装置１の内部へ受け入れるためのトレイ及びトレイ駆動機構等を有すると共に、受け入れたＢＤを回転駆動するためのモータ部、並びにトレイ上のＢＤの空き容量検出、ＢＤへのデータ書込、ＢＤからのデータ読出等を行うための青色光を発する光ピックアップ部８ａを有する。
【００２９】
ＢＤドライブ部８は、ＢＤからデータの読み出した場合、そのデータを伝送制御処理部７へ順次伝送する。さらに、ＢＤへデータの書き込み処理を行う場合、ＢＤドライブ部８は伝送制御処理部７から順次送られてくるデータを光ピックアップ部８ａによりＢＤへ書き込む。
【００３０】
ＤＶＤドライブ部９は、ＤＶＤに対してデータの書き込み処理及び読み出し処理を行う。上述したＢＤドライブ部８と同様に、ＤＶＤ受入用のトレイ、トレイ駆動機構等、及びＤＶＤの回転駆動用のモータ部、ＤＶＤの空き容量検出、ＤＶＤへのデータ書込、ＤＶＤからのデータ読出等を行うためのレーザ光を発する光ピックアップ部９ａを具備している。
【００３１】
ＤＶＤドライブ部９が、ＤＶＤからデータを読み出した場合、そのデータを伝送制御処理部７へ順次伝送する。ＤＶＤへデータの書き込み処理を行う場合、ＤＶＤドライブ部９は伝送制御処理部７から順次送られてくるデータを光ピックアップ部９ａによりＤＶＤへ書き込む。
【００３２】
データ記録再生装置１に内蔵されているハードディスク装置１０は、制御回路、モータ駆動部、データが記録される磁気ディスク（ＨＤ）、及びヘッド部等を有する。制御部３からデータ読出信号を受信した場合、制御回路の制御に従い、モータ駆動部が磁気ディスクを回転させてヘッド部により磁気ディスクの所要箇所からデータが読み出され、そのデータが伝送制御処理部７へ送られる。
【００３３】
また、ハードディスク装置１０においては、書き込むためのデータを伝送制御処理部７から受け取った場合、制御回路の制御に従いモータ駆動部が磁気ディスクを回転させてヘッド部を磁気ディスクの書込箇所に移動させて、送られてくるデータを磁気ディスクへ書き込むように構成されている。
【００３４】
以下に、実施の形態１のデータ記録再生装置１を用いたデータ記録方法（データ分割記録方法）について説明する。
制御部３は、ＲＯＭ１４に記録されたデータ分割記録処理のプログラムを読み出し、該プログラムに従って、データ分割記録処理を行う。
図２は、制御部３によるデータ分割記録処理の手順を示すフローチャートである。ここでは、放送番組の録画予約をする場合について説明する。
制御部３は、記録（録画）の予約を受け付けたか否かを判定する（Ｓ１）。
図３は、表示部１２上の記録予約の受付の表示の一例を示す図である。
図３に示すように、ユーザが遠隔操作装置１３の操作により、「画質」を「標準」、「高画質」、及び「低画質」の３つの中から選択し、「記録媒体」を「ＢＤ」、「ＤＶＤ」、及び「ＨＤ」３つの中から選択するように構成されている。ここで、「画質」として「高画質」が選択され、「記録媒体」として「ＢＤ」が選択されたとする。データ記録再生装置１には、第１記録層及び第２記録層を有するＢＤが装着されているとする。そして、ユーザによる番組名若しくはＧコードの入力、又は電子番組表からの選択等により、番組名の「サッカー予選（１）」が入力され、記録時間として「２０：００〜２１：４０」が入力される。
【００３５】
制御部３は、記録の予約を受け付けていないと判定した場合（Ｓ１：ＮＯ）、この判定を繰り返す。
制御部３は記録の予約を受け付けたと判定した場合（Ｓ１：ＹＥＳ）、区切り位置（データ分割点）の設定指示を受け付けたか否かを判定する（Ｓ２）。
図４は、表示部１２上の区切り位置の表示の一例を示す図である。
上述の記録予約を受け付けた場合、図４に示すように、記録時間１時間４０分に対応するデータの量が帯グラフで表される。
ユーザの遠隔操作装置１３の操作により、データを区切るための三角マーク（区切り位置）が移動する。三角マークは記録開始後の経過時間に対応して移動する。
サッカーの試合は、前半が４５分、後半が４５分であり、通常、試合の間に１０分間のハーフタイムが設けられている。図４において、ユーザによりデータの区切り位置（分割点）として、このハーフタイムの開始時間に相当し、記録を開始して４５分が経過したときの、例えば０：４５：１０（４５分１０秒）の位置が三角マークにより指定されている。
【００３６】
制御部３は、区切り位置の設定指示を受け付けていないと判定した場合（Ｓ２：ＮＯ）、この判定を繰り返す。
制御部３は、区切り位置の設定指示を受け付けたと判定した場合（Ｓ２：ＹＥＳ）、該区切り位置でデータを区切ることが可能であるか否かを判定する（Ｓ３）。
画質が高画質である場合、ＢＤの第１記録層及び第２記録層には各１時間、記録することができるとする。制御部３は、データの記録時間が１時間４０分であり、第１記録層及び第２記録層の空き容量が各１時間であるという情報を取得した場合、区切り位置（三角マークの位置：三角マークに対応する経過時間）までのデータを第１記録層に記録することができるか否かを判定する。そして、前記データを第１記録層に記録した後、前記区切り位置で第２記録層に切り換えて、残りのデータを記録したときにデータの全量を記録することが可能となる前記区切り位置の設定可能範囲を算出する。すなわち、記録開始後の経過時間４０分〜１時間（０：４０：００〜１：００：００）の範囲内が三角マークにより指定された場合、データの全量を記録することができるということが求められる。
【００３７】
制御部３は、区切ることが不可能である（指示された区切り位置でデータを区切った場合、データの全量を記録することができない）と判定した場合（Ｓ３：ＮＯ）、処理をステップＳ２へ戻す。このとき、表示部１２で警告をしたり、区切り位置の設定可能範囲を表示したりする等してユーザに適切な区切り位置の設定を指示するように促すのが好ましい。
制御部３は、指示された区切り位置で区切ることが可能であると判定した場合（Ｓ３：ＹＥＳ）、ユーザが指示した区切り位置を区切り位置として設定する（Ｓ４）。
【００３８】
次に、制御部３は、記録開始時間に到達し、記録が開始されたか否かを判定する（Ｓ５）。
制御部３は、記録が開始されていないと判定した場合（Ｓ５：ＮＯ）、この判定を繰り返す。
制御部３は、記録が開始されたと判定した場合（Ｓ５：ＹＥＳ）、データを第１記録層に記録するのを開始する（Ｓ６）。
【００３９】
制御部３は、区切り位置か否かを判定する（Ｓ７）。制御部３は、記録開始後、４５分１０秒が経過したか否かを判定することにより区切り位置を検出する。また、放送局で付与される一連の番号の位置情報がデータに付加されている場合、フレームレートから算出して、４５分１０秒経過後に相当する前記位置情報を取得したか否かにより判定することにしてもよい。また、コンテンツがＭＰＥＧ２のシステム・ストリーム（具体的にはデジタル放送向け規格であるトランスポート・ストリーム（ＴＳ）等）のデータとして送信される場合、該ストリームを構成するＴＳパケット列の各パケットのヘッダに格納された識別子を位置情報として利用してもよい。さらに、ＤＴＳ（Decoding Time Stamp）、ＰＴＳ（Present Time Stamp）のような同期再生のための時間情報を利用してコンテンツの先頭からの経過時間を求めることにしてもよい。
【００４０】
制御部３は区切り位置でないと判定した場合（Ｓ７：ＮＯ）、この判定を繰り返す。
制御部３は区切り位置であると判定した場合（Ｓ７：ＹＥＳ）、記録層を第１記録層から第２記録層へ切り換えて残りのデータを記録するのを開始する（Ｓ８）。
【００４１】
制御部３は記録が終了したか否かを判定する（Ｓ９）。
制御部３は、記録が終了していないと判定した場合（Ｓ９：ＮＯ）、この判定を繰り返す。
制御部３は、記録が終了したと判定した場合（Ｓ９：ＹＥＳ）、データ分割記録処理を終了する。
【００４２】
本実施の形態においては、ユーザが設定を指示し、制御部３がデータを区切ってＢＤの第１記録層及び第２記録層に記録することができると判定した、「画像飛び」及び「音声飛び」が生じても問題とならないハーフタイム等の区切り位置で記録層を切り換えてデータを記録するので、切り換え時の不快感が低減する。そして、記録した映像を他人が再生して視聴する場合においても、「画像飛び」及び「音声飛び」はほとんど気にならない。
なお、本実施の形態において、区切り位置に対応する映像のフレームに区切り位置情報を付加することにしてもよい。これにより記録したデータをダビングする場合に、前記区切り位置で区切ってデータを記録することが可能となる。
【００４３】
実施の形態２．
本発明の実施の形態２に係るデータ記録再生装置は、実施の形態１に係るデータ記録再生装置１と同様の構成を有し、実施の形態２に係る制御部３のデータ分割記録処理が実施の形態１に係る制御部３のデータ分割記録処理と異なる。
【００４４】
以下に、実施の形態２のデータ記録再生装置１を用いたデータ記録方法（データ分割記録方法）について説明する。
制御部３は、ＲＯＭ１４に記録されたデータ分割記録処理のプログラムを読み出し、該プログラムに従って、データ分割記録処理を行う。
図５は、制御部３によるデータ分割記録処理の手順を示すフローチャートである。
まず、制御部３は、記録の予約を受け付けたか否かを判定する（Ｓ１１）。前記予約を受け付けていないと判定した場合（Ｓ１１：ＮＯ）、この判定を繰り返す。
実施の形態１と同様に、ユーザにより「画質」として「高画質」が選択され、「記録媒体」として「ＢＤ」が選択され、ユーザによる番組名若しくはＧコードの入力、又は電子番組表からの選択等により、番組名の「サッカー予選（１）」が入力され、記録時間として「２０：００〜２１：４０」が入力されたとする。
【００４５】
制御部３は、記録の予約を受け付けたと判定した場合（Ｓ１１：ＹＥＳ）、区切り位置設定可能範囲を決定し、表示部１２上で表示する（Ｓ１２）。
画質が高画質である場合、ＢＤの第１記録層及び第２記録層には各１時間、記録することができるとする。制御部３は、データの記録時間が１時間４０分であり、第１記録層及び第２記録層の空き容量が各１時間であるという情報を取得した場合、データを第１記録層に記録した後、第２記録層に切り換えて残りのデータを記録したときにデータの全量を記録することが可能となる区切り位置の設定範囲を算出する。すなわち、記録開始後の経過時間４０分〜１時間（０：４０：００〜１：００：００）の範囲内で区切り位置が設定された場合、データの全量を記録することができるということが求められる。制御部３は、求めた設定範囲を表示部１２に表示する。
【００４６】
図６は、表示部１２上の区切り位置の設定可能範囲の表示の一例を示す図である。
図６に示すように、記録時間１時間４０分に対応するデータの量が帯グラフで表され、前記設定可能範囲がハッチングを付された部分として示されている。ユーザは、三角マークを移動させて、区切り位置（区切り時間）の設定を指示する。
【００４７】
制御部３は、上述の区切り位置の設定指示を受け付けたか否かを判定する（Ｓ１３）。区切り位置の設定指示を受け付けていないと判定した場合（Ｓ１３：ＮＯ）、この判定を繰り返す。
制御部３は、区切り位置の設定指示を受け付けたと判定した場合（Ｓ１３：ＹＥＳ）、区切り位置を設定する（Ｓ１４）。
【００４８】
次に、制御部３は、記録開始時間に到達し、記録が開始されたか否かを判定する（Ｓ１５）。
制御部３は、記録が開始されていないと判定した場合（Ｓ１５：ＮＯ）、この判定を繰り返す。
制御部３は、記録が開始されたと判定した場合（Ｓ１５：ＹＥＳ）、データを第１記録層に記録するのを開始する（Ｓ１６）。
【００４９】
そして、制御部３は、区切り位置か否かを判定する（Ｓ１７）。制御部３は、記録開始後、４５分１０秒が経過したか否かを判定等することにより区切り位置を検出する。
制御部３は区切り位置でないと判定した場合（Ｓ１７：ＮＯ）、この判定を繰り返す。
制御部３は区切り位置であると判定した場合（Ｓ１７：ＹＥＳ）、記録層を第１記録層から第２記録層へ切り換えて残りのデータを記録するのを開始する（Ｓ１８）。
制御部３は記録が終了したか否かを判定する（Ｓ１９）。
制御部３は、記録が終了していないと判定した場合（Ｓ１９：ＮＯ）、この判定を繰り返す。
制御部３は、記録が終了したと判定した場合（Ｓ１９：ＹＥＳ）、データ分割記録処理を終了する。
【００５０】
本実施の形態においては、記録の予約を受け付けた場合、区切り位置設定可能範囲を表示してユーザに区切り位置を設定するように構成されているので、短時間に、容易に適切な区切り位置を設定することができる。
【００５１】
実施の形態３．
本発明の実施の形態３に係るデータ記録再生装置は、実施の形態１に係るデータ記録再生装置１と同様の構成を有し、実施の形態３に係る制御部３のデータ分割記録処理が実施の形態１に係る制御部３のデータ分割記録処理と異なる。
【００５２】
以下に、実施の形態３のデータ記録装置１を用いたデータ記録方法（データ分割記録方法）について説明する。
制御部３は、ＲＯＭ１４に記録されたデータ分割記録処理のプログラムを読み出し、該プログラムに従って、データ分割記録処理を行う。
図７は、制御部３によるデータ分割記録処理の手順を示すフローチャートである。ここで、ハードディスク（ＨＤ）に記録されたデータをＢＤにダビングする場合について説明する。
制御部３は、ダビングの設定を受け付けたか否かを判定する（Ｓ２１）。
図８は、表示部１２上のダビングの設定の表示の一例を示す図である。
図８に示すように、ユーザが遠隔操作装置１３の操作により、「ダビング元」を「ＢＤ」、「ＤＶＤ」、及び「ＨＤ」の３つの中から選択し、「ダビング先」を「ＢＤ」、「ＤＶＤ」、及び「ＨＤ」３つの中から選択するように構成されている。ここで、「ダビング元」として「ＨＤ」が選択され、「ダビング先」として「ＢＤ」が選択されたとする。そして、ユーザによりにハードディスク記録された「タイトル」の中から「少年の旅」が選択され、記録時間として「１：４４：００」（１時間４４分０秒）が表示される。
【００５３】
制御部３は、ダビングの設定を受け付けていないと判定した場合（Ｓ２１：ＮＯ）、この判定を繰り返す。
制御部３は、ダビングの設定を受け付けたと判定した場合（Ｓ２１：ＹＥＳ）、区切り位置の設定指示を受け付けたか否かを判定する（Ｓ２２）。
図９は、表示部１２上の区切り位置の表示の一例を示す図である。
上述のダビングの設定を受け付けた場合、図９に示すように、記録時間１時間４４分に対応するデータの量が帯グラフで表される。
ユーザの遠隔操作装置１３の操作により、データを区切るための三角マークが移動し、これに連動して、チャプターＮｏと再生映像のフレームが表示される。このフレームを選択することにより、区切り位置の設定を指示することになる。
【００５４】
制御部３は、区切り位置の設定指示を受け付けていないと判定した場合（Ｓ２２：ＮＯ）、この判定を繰り返す。
制御部３は、区切り位置の設定指示を受け付けたと判定した場合（Ｓ２２：ＹＥＳ）、該区切り位置で、データを区切ってデータの全量を記録することができるか否かを判定する（Ｓ２３）。
データの記録時間が１時間４４分であり、ＢＤの第１記録層及び第２記録層の空き容量が各１時間である場合、データを第１記録層に記録した後、前記区切り位置で第２記録層に切り換えて、残りのデータを記録したときに、データの全量を記録することが可能となる区切り位置の設定可能範囲を算出する。すなわち、記録（ダビング）開始後の経過時間４４分〜１時間（０：４４：００〜１：００：００）に対応するフレームが三角マークで指定された場合、データの全量を記録することができるということが求められる。
制御部３は、区切りが可能であると判定した場合（Ｓ２３：ＹＥＳ）、三角マークで指定された映像のフレームにチャプターマークを付加する（Ｓ２４）。
制御部３は、前記区切り位置で区切ることが不可能であると判定した場合（Ｓ２３：ＮＯ）、処理をステップＳ２２へ戻す。このとき、表示部１２で警告をしたり、区切り位置の設定可能範囲を表示したりする等してユーザに適切な区切り位置の設定を指示するように促すのが好ましい。
【００５５】
次に、制御部３は、ユーザの指示によりダビングが開始されたか否かを判定する（Ｓ２５）。ここで、ユーザがダビング予約をし、予約した時間に到達してダビングが開始される場合も含む。
制御部３は、ダビングが開始されていないと判定した場合（Ｓ２５：ＮＯ）、この判定を繰り返す。
制御部３は、ダビングが開始されたと判定した場合（Ｓ２５：ＹＥＳ）、データを第１記録層へ記録するのを開始する（Ｓ２６）。
【００５６】
制御部３は、区切り位置であるか否かを判定する（Ｓ２７）。制御部３は、前記チャプターマークが付加されたフレームを検出したか否かを判定することにより、区切り位置を検出したか否かを判定する。
制御部３は区切り位置であると判定した場合（Ｓ２７：ＹＥＳ）、記録層を第１記録層から第２記録層へ切り換えて残りのデータを記録するのを開始する（Ｓ２８）。制御部３は区切り位置でないと判定した場合（Ｓ２７：ＮＯ）、判定を繰り返す。
【００５７】
制御部３はダビングが終了したか否かを判定する（Ｓ２９）。
制御部３は、ダビングが終了していないと判定した場合（Ｓ２９：ＮＯ）、この判定を繰り返す。
制御部３は、ダビングが終了したと判定した場合（Ｓ２９：ＹＥＳ）、データ分割記録処理を終了する。
【００５８】
本実施の形態においては、ユーザが選択し、制御部３によりデータを分割してダビングすることができると判定されたフレーム（場面）でデータが分割されてＢＤの第１記録層及び第２記録層に記録されるので、切り換え時の「画像飛び」及び「音声飛び」による不快感が低減する。そして、ダビングした映像を他人が再生して視聴する場合においても、「画像飛び」及び「音声飛び」はほとんど気にならないと考えられる。
【００５９】
実施の形態４．
本発明の実施の形態４に係るデータ記録再生装置は、実施の形態１に係るデータ記録再生装置１と同様の構成を有し、制御部３のデータ分割記録処理が実施の形態３に係る制御部３のデータ分割記録処理と異なる。
【００６０】
以下に、実施の形態４のデータ記録装置１を用いたデータ記録方法（データ分割記録方法）について説明する。
制御部３は、ＲＯＭ１４に記録されたデータ分割記録処理のプログラムを読み出し、該プログラムに従って、データ分割記録処理を行う。
図１０は、制御部３によるデータ分割記録処理の手順を示すフローチャートである。
制御部３は、ダビングの設定を受け付けたか否かを判定する（Ｓ３１）。前記設定を受け付けていないと判定した場合（Ｓ３１：ＮＯ）、この判定を繰り返す。
実施の形態３と同様に、ユーザにより「ダビング元」として「ＨＤ」が選択され、「ダビング先」として「ＢＤ」が選択され、ハードディスクに記録された「タイトル」の中から「少年の旅」が選択され、記録時間として「１：４４：００」（１時間４４分０秒）が表示されたとする。
【００６１】
制御部３はダビングの設定を受け付けたと判定した場合（Ｓ３１：ＹＥＳ）、区切り位置の設定可能範囲を決定する（Ｓ３２）。制御部３はデータの記録時間が１時間４４分であり、ＢＤの第１記録層及び第２記録層の空き容量が各１時間である場合、データを第１記録層に記録した後、前記区切り位置で第２記録層に切り換えて、残りのデータを記録したときに、データの全量を記録することが可能となる区切り位置の設定可能範囲を算出する。すなわち、ダビング開始後の経過時間４４分〜１時間（０：４４：００〜１：００：００）に対応するフレームがユーザにより指定された場合、データの全量を記録することができるということが求められる。
【００６２】
図１１は、表示部１２上の区切り位置の設定可能範囲の表示の一例を示す図である。
図１１に示すように、記録時間１時間４４分に対応するデータの量が帯グラフで表され、前記設定可能範囲がハッチングを付された部分として示されている。
【００６３】
制御部３は、前記区切り位置設定可能範囲内で区切り位置の設定指示を受け付けたか否かを判定する（Ｓ３３）。ユーザが前記ハッチングを付された範囲内で三角マークを動かすことによりフレームが指定され、区切り位置の設定が指示される。制御部３は、前記設定指示を受け付けていないと判定した場合（Ｓ３３：ＮＯ）、この判定を繰り返す。
【００６４】
制御部３は、区切り位置の設定指示を受け付けたと判定した場合（Ｓ３３：ＹＥＳ）、三角マークで指定された映像のフレームにチャプターマークを付加する（Ｓ３４）。
【００６５】
次に、制御部３は、ダビングが開始されたか否かを判定する（Ｓ３５）。
制御部３は、ダビングが開始されていないと判定した場合（Ｓ３５：ＮＯ）、この判定を繰り返す。
制御部３は、ダビングが開始されたと判定した場合（Ｓ３５：ＹＥＳ）、データを第１記録層へ記録するのを開始する（Ｓ３６）。
【００６６】
そして、制御部３は、区切り位置であるか否かを判定する（Ｓ３７）。制御部３は、前記チャプターマークが付加されたフレームを検出したか否かを判定することにより、区切り位置を検出したか否かを判定する。
制御部３は区切り位置であると判定した場合（Ｓ３７：ＹＥＳ）、記録層を第１記録層から第２記録層へ切り換えて残りのデータを記録するのを開始する（Ｓ３８）。制御部３は区切り位置でないと判定した場合（Ｓ３７：ＮＯ）、判定を繰り返す。
【００６７】
制御部３はダビングが終了したか否かを判定する（Ｓ３９）。
制御部３は、ダビングが終了していないと判定した場合（Ｓ３９：ＮＯ）、この判定を繰り返す。
制御部３は、記録が終了したと判定した場合（Ｓ３９：ＹＥＳ）、データ分割記録処理を終了する。
【００６８】
本実施の形態においては、ダビングの設定を受け付けた場合、区切り位置設定可能範囲を表示してユーザが区切り位置を設定するように構成されているので、短時間に、容易に適切な区切り位置を設定することができる。
【００６９】
実施の形態５．
本発明の実施の形態５に係るデータ記録再生装置は、実施の形態１に係るデータ記録再生装置１と同様の構成を有し、制御部３のデータ分割記録処理が実施の形態１に係る制御部３のデータ分割記録処理と異なる。
【００７０】
以下に、実施の形態５のデータ記録装置１を用いたデータ記録方法（データ分割記録方法）について説明する。
制御部３は、ＲＯＭ１４に記録されたデータ分割記録処理のプログラムを読み出し、該プログラムに従って、データ分割記録処理を行う。
図１２は、実施の形態５の制御部３によるデータ分割記録処理の手順を示すフローチャートである。ここで、ハードディスクに記録されたデータをＢＤにダビングする場合について説明する。
制御部３は、ダビングの設定を受け付けたか否かを判定する（Ｓ４１）。制御部３はダビングの設定を受け付けていないと判定した場合（Ｓ４１：ＮＯ）、この判定を繰り返す。
制御部３は、ダビングの設定を受け付けたと判定した場合（Ｓ４１：ＹＥＳ）、記録するタイトルと該タイトルに係るデータを記録する記録層とをそれぞれ受け付けたか否かを判定する（Ｓ４２）。制御部３は、受け付けていないと判定した場合（Ｓ４２：ＮＯ）、この判定を繰り返す。
【００７１】
図１３は、タイトルと該タイトルに係るデータを記録する記録層とを指定した状態を示す図である。各タイトルにつきＢＤの第１記録層及び第２記録層のうちのいずれかの記録層を選択することができる。表示部１２において、タイトルＮｏ、タイトル、及び指定された記録層が表示されている。デフォルトでは、各タイトルが記録順に並ぶように構成されているが、ユーザが優先度を考慮して、ダビングする順にタイトルを並べ換えることができる。
【００７２】
制御部３は、タイトル及び記録層を受け付けたと判定した場合（Ｓ４２：ＹＥＳ）、全データを指定された記録層に記録することができるか否かを判定する（Ｓ４３）。全データを記録することができると判定した場合（Ｓ４３：ＹＥＳ）、処理をステップＳ４４へ進める。
制御部３は、全データは記録することはできない（指定された記録層に全量は記録することができないデータがある）と判定した場合（Ｓ４３：ＮＯ）、記録不可能なデータにつき記録不可能であることを表示する（Ｓ４５）。
図１４は、表示部１２で記録不可能なデータを表示した状態を示す図である。この例では、タイトルＮｏ．３の「少年の冒険」のデータが第１記録層に記録できないことを「不可」として示している。
制御部３は、前記データの区切り位置の設定指示を受け付けたか否かを判定する（Ｓ４６）。前記設定指示を受け付けていないと判定した場合（Ｓ４６：ＮＯ）、この判定を繰り返す。
【００７３】
図１５は、表示部１２上の区切り位置の表示の一例を示す図である。
前記データの量が１時間分である場合、ユーザは区切り位置を三角マークで示す。これに連動して、再生映像のフレームが表示される。図１５において、ユーザは区切り位置として、前記フレームを見て、データの先頭から２７分００秒のところを三角マークで区切り位置として指示している。
制御部３は、区切り位置の設定指示を受け付けたと判定した場合（Ｓ４６：ＹＥＳ）、該区切り位置で、前記データを区切って該データの全量を記録することができるか否かを判定する（Ｓ４７）。
前記データの記録時間が１時間であり、第１記録層及び第２記録層の空き容量がそれぞれ３０分、３６分である場合、データを第１記録層に記録した後、前記区切り位置で第２記録層に切り換えて、残りのデータを記録したときに、データの全量を記録することが可能となる区切り位置の設定可能範囲を算出する。すなわち、記録（ダビング）開始後の経過時間２４分〜３０分（０：２４：００〜０：３０：００）に対応するフレームが三角マークで指定された場合、データの全量を記録することができるということが求められる。
制御部３は、ユーザにより指定された位置で区切りが可能であると判定した場合（Ｓ４７：ＹＥＳ）、該区切り位置にチャプターマークを付加し（Ｓ４８）、処理をステップＳ４４へ進める。
【００７４】
制御部３は、区切ることが不可能であると判定した場合（Ｓ４７：ＮＯ）、処理をステップＳ４６へ戻す。このとき、表示部１２で警告をしたり、区切り位置の設定可能範囲を表示したりする等してユーザに適切な区切り位置の設定を指示するように促すのが好ましい。
【００７５】
次に、制御部３は、ユーザの指示によりダビングが開始されたか否かを判定する（Ｓ４４）。ここで、ユーザがダビング予約をし、予約した時間に到達してダビングが開始される場合も含む。
制御部３は、ダビングが開始されていないと判定した場合（Ｓ４４：ＮＯ）、この判定を繰り返す。
制御部３は、ダビングが開始されたと判定した場合（Ｓ４４：ＹＥＳ）、各データを各記録層へ記録する（Ｓ４９）。ここで、区切り位置が設定されているデータがある場合は、該区切り位置で記録層を切り換えて記録する。
【００７６】
そして、制御部３はダビングが終了したか否かを判定する（Ｓ５０）。
制御部３は、ダビングが終了していないと判定した場合（Ｓ５０：ＮＯ）、この判定を繰り返す。
制御部３は、記録が終了したと判定した場合（Ｓ５０：ＹＥＳ）、データ分割記録処理を終了する。
【００７７】
本実施の形態においては、複数のタイトルのデータをユーザにより選択された記録層に順次記録する場合に、選択された記録層に全量を記録できないデータがあるときに、ユーザにより区切り位置の設定指示がされるように構成されており、制御部３が該区切り位置で区切ることが可能であると判定したときに、前記データを分割して記録する。このとき、区切り位置はユーザにより設定された区切り位置であるので、ユーザはどの画面で「画像飛び」及び「音声飛び」が生じるのかが分かっており、切り換え時の不快感が低減する。
以上のように記録された記録媒体を他人が視聴する場合も、「画像飛び」及び「音声飛び」がほとんど気にならない程度になる。
【００７８】
実施の形態６．
本発明の実施の形態６に係るデータ記録再生装置は、実施の形態５に係るデータ記録再生装置１と同様の構成を有し、制御部３のデータ分割記録処理が実施の形態５に係る制御部３のデータ分割記録処理と異なる。
【００７９】
以下に、実施の形態６のデータ記録装置１を用いたデータ記録方法（データ分割記録方法）について説明する。
制御部３は、ＲＯＭ１４に記録されたデータ分割記録処理のプログラムを読み出し、該プログラムに従って、データ分割記録処理を行う。
図１６は、実施の形態６の制御部３によるデータ分割記録処理の手順を示すフローチャートである。
制御部３は、ダビングの設定を受け付けたか否かを判定する（Ｓ５１）。制御部３はダビングの設定を受け付けていないと判定した場合（Ｓ５１：ＮＯ）、この判定を繰り返す。
制御部３は、ダビングの設定を受け付けたと判定した場合（Ｓ５１：ＹＥＳ）、記録するタイトルと該タイトルに係るデータを記録する記録層とをそれぞれ受け付けたか否かを判定する（Ｓ５２）。制御部３は、受け付けていないと判定した場合（Ｓ５２：ＮＯ）、この判定を繰り返す。
【００８０】
実施の形態５と同様に、ユーザによりタイトルと該タイトルに係るデータを記録する記録層とが指定され、ユーザが優先度を考慮して、ダビングする順にタイトルを並べ換えたとする。すなわち表示部１２で図１３と同様の表示がされたとする。
【００８１】
制御部３は、タイトル及び記録層を受け付けたと判定した場合（Ｓ５２：ＹＥＳ）、全データを指定された記録層に記録することができるか否かを判定する（Ｓ５３）。全データを記録することができると判定した場合（Ｓ５３：ＹＥＳ）、処理をステップＳ５４へ進める。
【００８２】
制御部３は、全データは記録することはできないと判定した場合（Ｓ５３：ＮＯ）、図１４と同様に、記録することができないＮｏ．のタイトルにつき、「記録」が「不可」であると表示する（Ｓ５５）。
そして、選択された記録層に記録することができないと判定したデータにつき、区切り位置を設定することが可能な範囲を求め、表示部１２で表示する（Ｓ５６）。このとき、記録の順位を考慮し、選択された記録層及び区切り位置で切り換える記録層の空き容量に基づいて算出する。
【００８３】
前記データの記録時間が１時間であり、第１記録層及び第２記録層の空き容量がそれぞれ３０分、３６分である場合、データを第１記録層に記録した後、前記区切り位置で第２記録層に切り換えて、残りのデータを記録したときに、データの全量を記録することが可能となる区切り位置の設定可能範囲を算出する。すなわち、記録（ダビング）開始後の経過時間２４分〜３０分（０：２４：００〜０：３０：００）に対応するフレームが三角マークで指定された場合、データの全量を記録することができるということが求められる。  図１７は、表示部１２上の区切り位置の設定可能範囲の表示の一例を示す図である。区切り位置の設定可能範囲がハッチングを付された部分として示されている。ユーザは、前記設定可能範囲で再生映像を参照して、区切り位置を指定する。図１７において、データの先頭から２７分後の位置が区切り位置として指定されたとする。
【００８４】
次に、制御部３は、区切り位置設定指示を受け付けたか否かを判定する（Ｓ５７）。区切り位置設定指示を受け付けていないと判定した場合（Ｓ５７：ＮＯ）、この判定を繰り返す。
制御部３は、区切り位置設定指示を受け付けたと判定した場合（Ｓ５７：ＹＥＳ）、区切り位置に対応するフレームにチャプターマークを付加し（Ｓ５８）、処理をステップＳ５４へ進める。
【００８５】
そして、制御部３は、ユーザの指示によりダビングが開始されたか否かを判定する（Ｓ５４）。
制御部３は、ダビングが開始されていないと判定した場合（Ｓ５４：ＮＯ）、この判定を繰り返す。
制御部３は、ダビングが開始されたと判定した場合（Ｓ５４：ＹＥＳ）、各データを各記録層へ記録する（Ｓ５９）。ここで、区切り位置が設定されているデータがある場合は、該区切り位置で記録層を切り換えて記録する。
【００８６】
制御部３はダビングが終了したか否かを判定する（Ｓ６０）。
制御部３は、ダビングが終了していないと判定した場合（Ｓ６０：ＮＯ）、この判定を繰り返す。
制御部３は、記録が終了したと判定した場合（Ｓ６０：ＹＥＳ）、データ分割記録処理を終了する。
【００８７】
本実施の形態においては、選択された記録層に全量を記録することができないタイトルのデータがある場合、区切り位置の設定可能範囲を表示してユーザにより区切り位置の設定指示をするように構成されているので、短時間に、容易に適切な区切り位置を設定することができる。
【００８８】
なお、前記実施の形態１乃至６においては、データ記録再生装置１がＢＤドライブ部８、ＤＶＤドライブ９、及びハードディスク装置１０を備える場合につき説明しているが、これに限定されるものではない。
また、本発明のデータ記録装置としてデータ記録再生装置を適用した場合には限定されず、データを再生する機能は有さず、データを記録する機能のみを有する装置であってもよい。
そして、本発明のデータ記録方法は、放送番組をＢＤに記録する場合、ハードディスクに記録されたデータをＢＤにダビングする場合に適用することには限定されない。
さらに、ＢＤ等の記録媒体が記録層を２層有する場合に限定されるものではなく、記録媒体が３以上の記録層を有する場合であってもよい。この場合、制御部３は複数の記録層の空き容量等に基づいて、区切り位置までのデータを記録する記録層、区切り位置からのデータを記録する記録層を決定し、区切り位置の設定可能範囲を表示部１２に表示させるのが好ましい。
【符号の説明】
【００８９】
１  データ記録再生装置
２  チューナ
３  制御部
４  映像／音声信号処理部
５  外部出力部
６  外部入力部
７  伝送制御処理部
８  ＢＤドライブ部
８ａ  光ピックアップ部
９  ＤＶＤドライブ部
９ａ  光ピックアップ部
１０  ハードディスク装置
１１  受信部
１２  表示部
１３  遠隔操作装置
１４  ＲＯＭ
１５  ＲＡＭ
【図１】
2010244601.tif 000003
【図２】
2010244601.tif 000004
【図３】
2010244601.tif 000005
【図４】
2010244601.tif 000006
【図５】
2010244601.tif 000007
【図６】
2010244601.tif 000008
【図７】
2010244601.tif 000009
【図８】
2010244601.tif 000010
【図９】
2010244601.tif 000011
【図１０】
2010244601.tif 000012
【図１１】
2010244601.tif 000013
【図１２】
2010244601.tif 000014
【図１３】
2010244601.tif 000015
【図１４】
2010244601.tif 000016
【図１５】
2010244601.tif 000017
【図１６】
2010244601.tif 000018
【図１７】
2010244601.tif 000019